(57)【要約】      （修正有）【課題】ディジタルオーディオ信号に含まれるアナウンスメントデータの受信感度を見かけ上向上させ、アナウンスメントデータの録音および再生を良好に行う。【解決手段】受信したディジタルオーディオ信号に含まれるアナウンスメントデータの録音を制御する録音制御部１１０は、アナウンスメントデータが最初に受信されたものか否かを判定する判定手段と、アナウンスメントデータを構成する個々の音声フレームのエラーの有無を検出するエラー検出部２１０と、アナウンスメントデータが最初に受信されたものであると判定された場合、アナウンスメントデータを構成するすべての音声フレームを録音する録音部１００と、アナウンスメントデータが繰り返し受信されたものであると判定された場合、録音されたエラーを有する音声フレームをエラーをエラーのない音声フレームにより書き換える読み書き部２４０とを有する。【選択図】図４
2013258565.tif 000002
【特許請求の範囲】
【請求項１】
ディジタル放送を受信する機能を備えた受信装置であって、
ディジタルオーディオ信号を受信する受信手段と、
前記受信したディジタルオーディオ信号に含まれるアナウンスメントデータの録音を制御する録音制御手段と、
前記録音制御手段に録音されたアナウンスメントデータを再生する再生手段とを備え、
前記録音制御手段は、
前記アナウンスメントデータが最初に受信されたものか否かを判定する判定手段と、
前記アナウンスメントデータを構成する個々のフレームデータのエラーの有無を検出するエラー検出手段と、
前記判定手段によりアナウンスメントデータが最初に受信されたものであると判定された場合、アナウンスメントデータを構成するすべてのフレームデータを録音する録音手段と、
前記判定手段によりアナウンスメントデータが繰り返し受信されたものであると判定された場合、前記録音手段に録音されたフレームデータであってエラーを有するフレームデータと、今回受信されたアナウンスメントデータを構成するフレームデータであって、前記エラー検出手段によってエラーが検出されていないフレームデータと比較する比較手段とを有し、
前記録音制御手段は、前記比較手段の比較結果に基づき、エラーを有するフレームデータをエラーのないフレームデータにより書き換える、受信装置。
【請求項２】
受信装置はさらに、前記録音手段に記憶されたアナウンスメントデータの誤り率を算出する算出手段と、
前記算出手段により算出された誤り率に基づき録音されたアナウンスメントデータの再生可否を判定する再生可否判定手段とを有し、
前記再生手段は、前記再生可否判定手段により再生可と判定されたアナウンスメントデータの再生を可能にする、請求項１に記載の受信装置。
【請求項３】
受信装置はさらに、前記再生可否判定手段により再生可と判定されたアナウンスメントデータに関連するアイコン情報を表示する表示手段を有し、
前記再生手段は、前記アイコン情報を介してアナウンスメントの再生がユーザーによって指示されたとき、前記アイコン情報に対応するアナウンスメントデータを再生する、請求項２に記載の受信装置。
【請求項４】
前記録音制御手段は、前記録音手段により録音されたエラーを有するフレームデータの識別情報を保持する保持手段を含み、前記比較手段は、前記保持手段により保持された識別情報を参照して書き換えるべきフレームデータの比較を行う、請求項１に記載の受信装置。
【請求項５】
前記エラー検出手段は、フレームデータに含まれる誤り検出符号に基づきフレームデータのエラーを検出する、請求項１に記載の受信装置。
【請求項６】
前記判定手段は、ディジタルオーディオ信号に含まれるアナウンスメントデータに関連するフラッグデータに基づき新規なアナウンスメントか否かを判定する、請求項１に記載の受信装置。
【発明の詳細な説明】
【技術分野】
【０００１】
本発明は、ディジタル放送を受信し録音する機能を備えた受信装置に関し、特に、欧州などで実用化されているディジタルオーディオ放送（Digital Audio Broadcast：以下、ＤＡＢ）を受信する機能を備えた受信装置に関する。
【背景技術】
【０００２】
地上波ディジタル放送、衛星ディジタル放送、ＤＡＢなどに代表されるように、ディジタル放送が普及し、これに伴い、ディジタル放送を受信する車載用の受信装置も実用化されている。また、ハードディスクドライブ（ＨＤＤ）や半導体メモリ等の記録媒体の小型化、低コスト化により、車載用の受信装置にディジタル放送を録画する機能が搭載されつつある。
【０００３】
車載用の受信装置において録画機能を利用する場合、車両の移動に応じて電波の受信環境が逐次変化するため、時に問題が生じる。すなわち、受信環境が悪い状態で放送信号を録画した場合、録画データに欠損や途切れなどが生じてしまい、再生された映像または音声を良好に視聴することができない。このような問題を解決するために特許文献１は、放送信号の受信レベルが不良であることを検出した場合には、受信している放送信号の記録を停止し、受信不良が解消したときに記録を再開させ、他方、受信不良時に放送番組データからその再放送番組を検出し、当該再放送番組の記録予約を行うことを開示している。
【０００４】
また、欧州等で実用化されているＤＡＢでは、複数の多重化されたプログラム（番組）に加えて、交通情報、天気予報などの臨時の放送としてアナウンスメントデータを放送している。録音機能を備えた受信装置では、受信したアナウンスメントデータをメモリに記録し、その後、任意のタイミングでメモリからアナウンスメントデータを読み出し、再生することができる。ＤＡＢは、ＭＰＥＧ１／２オーディオレイヤ２により圧縮符号化された２４ｍｓの長さのフレームデータを伝送するが、受信環境の劣化により、アナウンスメントを構成するフレームデータにエラーが生じるおそれがある。この場合、エラーが生じたアナウンスメントデータが記録されるため、アナウンスメントデータの再生を良好に行うことができなくなる。
【０００５】
図１は、ディジタルオーディオデータのフォーマット（特許文献２の図２を参照）を示している。各伝送フレームは、ファスト・インフォーメイション・チャンネル（ＦＩＣ）、メイン・サービス・チャンネル（ＭＳＣ）を含み、ＭＳＣは、複数のコモン・インターリーブドゥ・フレーム（ＣＩＦ）を含み、各ＣＩＦは、複数のキャパシティ・ユニット（ＣＵ）を含む。このようなＭＳＣによってオーディオデータを含むプログラム情報データが伝送される。そして、プログラム情報データには、複数の音声プログラムデータが含まれ、音声プログラムデータには、例えば、道路交通情報，地域天候情報，催し物情報等々に関するアナウンスメントデータが含まれる。
【０００６】
一方、ＦＩＣは、複数のファスト・インフォーメイション・ブロック（ＦＩＢ）を含み、各ＦＩＢは、ＦＩＢデータフィールドとエラー検出用ワードＣＲＣ（Cyclic Redundancy Check）とを含み、各ＦＩＢデータフィールドは、複数のファスト・インフォーメイション・グループ（ＦＩＧ）を含み、各ＦＩＧは、ＦＩＧヘッダとＦＩＧデータフィールドとを含む。このようなＦＩＣによって、多重構成情報（ＭＣＩ）及び制御用情報データが伝送される。そして、制御用情報データには、アナウンスメントデータに関する情報が含まれ、すなわち、アナウンスメントデータの伝送期間には“１”をとり、その他の期間において“０”をとるアナウンスメント・スイッチ・フラッグデータ（ＡＳフラッグデータ）と、アナウンスメントデータの内容が新規なものであるとき“１”をとり、アナウンスメントデータの内容が繰返しのものであるとき“０”をとるニューフラッグデータとが含まれる。
【０００７】
特許文献２の受信装置では、上記ＡＳフラッグデータおよびニューフラッグデータに基づき、音声プログラムデータに含まれるアナウンスメントデータを抽出し、アナウンスメントデータを構成する１周期分の音声フレームのいずれかにエラーフレームがあるか否か検出することで、複数回繰り返されるアナウンスメントのうちエラーがないアナウンスメントデータの１周器分をメモリに記憶し、これを再生するようにしたものである。
【先行技術文献】
【特許文献】
【０００８】
【特許文献１】特許第４６６２３４０号公報
【特許文献２】特許第４１１０３４２号公報
【発明の概要】
【発明が解決しようとする課題】
【０００９】
しかしながら、上記のようなアナウンスメントデータを録音する場合、以下の課題がある。欧州等において、今後、ＤＡＢ(ＤＡＢ+/Ｔ-ＤＭＢ等含む)に代表されるようなディジタルオーディオ放送の普及が進むと想定されるが、ＦＭ放送される(視聴可能)エリアよりもディジタル放送の視聴可能エリアが狭くなる可能性が高い。このため、車載上の受信装置では、受信状態の劣化が頻繁に生じるおそれがあり、弱電界状態でアナウンスメントデータを録音した場合、エラーの発生頻度が高く、そのままの状態で再生しても、聞こえる部分と聞こえない部分が混在する場合がある。
【００１０】
仮に、特許文献２のように、複数回繰り返されるアナウンスメントデータからエラーフレームを含まないアナウンスメントデータを検出して、これを録音するにしても、複数回繰り返されるすべてのアナウンスメントデータがエラーフレームを含む可能性があり、そうなると、アナウンスメントデータを録音することができなくなり、アナウンスメントデータの再生すら不可能になってしまう。
【００１１】
また、複数回繰り返されるアナウンスメントデータをそのまま録音したとしても、前回に録音されたアナウンスメントデータと今回に録音されたアナウンスメントデータのどちらが高品質なのか判断することが難しく、結局のところ、繰り返しアナウンスメントデータを録音したとしても問題の解決には至らない。
【００１２】
このように、視聴可能エリアが制限され、かつ受信感度が逐次変化するようなディジタル放送の受信装置において、アナウンスメントデータを完璧に録音することができる可能性は非常に低く、そのような場合であっても、アナウンスメントデータを良好に再生し、出力させることが望まれる。
【００１３】
本発明は、上記した従来の課題を解決するものであり、ディジタルオーディオ信号に含まれるアナウンスメントデータの受信感度を見かけ上向上させ、アナウンスメントデータの録音および再生を良好に行うことができるディジタル放送の受信装置を提供することを目的とする。
【課題を解決するための手段】
【００１４】
本発明に係るディジタル放送を受信する機能を備えた受信装置は、ディジタルオーディオ信号を受信する受信手段と、前記受信したディジタルオーディオ信号に含まれるアナウンスメントデータの録音を制御する録音制御手段と、前記録音制御手段に録音されたアナウンスメントデータを再生する再生手段とを備え、前記録音制御手段は、前記アナウンスメントデータが最初に受信されたものか否かを判定する判定手段と、前記アナウンスメントデータを構成する個々のフレームデータのエラーの有無を検出するエラー検出手段と、前記判定手段によりアナウンスメントデータが最初に受信されたものであると判定された場合、アナウンスメントデータを構成するすべてのフレームデータを録音する録音手段と、前記判定手段によりアナウンスメントデータが繰り返し受信されたものであると判定された場合、前記録音手段に録音されたフレームデータであってエラーを有するフレームデータと、今回受信されたアナウンスメントデータを構成するフレームデータであって、前記エラー検出手段によってエラーが検出されていないフレームデータと比較する比較手段とを有し、前記録音制御手段は、前記比較手段の比較結果に基づき、エラーを有するフレームデータをエラーのないフレームデータにより書き換える。
【００１５】
好ましくは受信装置はさらに、前記録音手段に記憶されたアナウンスメントデータの誤り率を算出する算出手段と、前記算出手段により算出された誤り率に基づき録音されたアナウンスメントデータの再生可否を判定する再生可否判定手段とを有し、前記再生手段は、前記再生可否判定手段により再生可と判定されたアナウンスメントデータの再生を可能にする。好ましくは受信装置はさらに、前記再生可否判定手段により再生可と判定されたアナウンスメントデータに関連するアイコン情報を表示する表示手段を有し、前記再生手段は、前記アイコン情報を介してアナウンスメントの再生がユーザーによって指示されたとき、前記アイコン情報に対応するアナウンスメントデータを再生する、請求項２に記載の受信装置。好ましくは前記録音制御手段は、前記録音手段により録音されたエラーを有するフレームデータの識別情報を保持する保持手段を含み、前記比較手段は、前記保持手段により保持された識別情報を参照して書き換えるべきフレームデータの比較を行う。好ましくは前記エラー検出手段は、フレームデータに含まれる誤り検出符号に基づきフレームデータのエラーを検出する。好ましくは前記判定手段は、ディジタルオーディオ信号に含まれるアナウンスメントデータに関連するフラッグデータに基づき新規なアナウンスメントか否かを判定する。
【発明の効果】
【００１６】
本発明によれば、複数回繰り返されるアナウンスメントデータを録音する場合に、アナウンスメントデータを構成するフレームデータにエラーが含まれている場合には、当該エラーが含まれているフレームデータを、その後に受信したエラーが含まれていないフレームデータにより書き換えまたは上書きするようにしたので、アナウンスメントの録音、再生を良好に行うことができる。また、繰り返されるアナウンスメントデータを用いて、エラーを含むアナウンスメントデータを他のアナウンスメントデータにより補完または合成することは、見かけ上、受信感度を約３ｄＢ向上させることにつながり、これは、放送局の出力電力を２倍にしたときに得られる視聴エリアと同等である。
【図面の簡単な説明】
【００１７】
【図１】従来技術に開示される、ディジタルオーディオデータのフォーマットである。
【図２】圧縮符号化されたディジタルオーディオ信号のフレームのデータ構成を示す図である。
【図３】本発明の実施例に係るＤＡＢ受信装置の構成を示す図である。
【図４】図４（Ａ）は、図３の出力制御部の構成を示すブロック図、図４（Ｂ）は、図４（Ａ）の録音制御部１１０の構成を示すブロック図である。
【図５】本発明の実施例に係るＤＡＢ受信装置におけるアナウンスメントの録音および再生動作を説明するフローチャートである。
【図６】本発明の実施例における新規なアナウンスメントの録音動作の詳細を説明するフローチャートである。
【図７】本発明の実施例における再放送されたアナウンスメントの録音動作の詳細を説明するフローチャートである。
【図８】本発明の実施例によるアナウンスメントデータの録音例を説明する図である。
【発明を実施するための形態】
【００１８】
次に、本発明の実施の形態について図面を参照して説明する。本発明の好ましい実施の形態は、圧縮符号化されたディジタル放送を自動車等の移動体上で受信可能なディジタル放送の受信装置を例示する。好ましい態様では、ディジタル放送の受信装置は、欧州等において規格化されたＤＡＢに適用される。但し、本発明は、これ以外の規格によるディジタルオーディオ信号の受信にも適用可能である。
【実施例】
【００１９】
次に、本実施例におけるディジタルオーディオ放送の受信装置の一例として、ＤＡＢ受信装置の構成例を図３に示す。本実施例のＤＡＢ受信装置１０において、フロントエンド１４は、アンテナ１２から放送波のＲＦ信号を受信し、受信したＲＦ信号から希望局の周波数信号を選択する同調回路、局部発信器からの周波数信号とＲＦ信号を混合し中間周波（ＩＦ）信号を生成する混合器、中間周波信号を直流検波しその受信電界強度信号（Ｓメータ信号）を抽出するＳメータ回路などを含んでいる。中間周波信号は、Ａ／Ｄコンバータ１６によりディジタル信号に変換され、このディジタル信号は、信号処理部２０において種々の信号処理を実施される。
【００２０】
信号処理部２０は、例えばＤＳＰ(Digital Signal Processor)などを用いて構成される。Ａ／Ｄコンバータ１６から出力されたディジタル信号は、直交復調部２１によりディジタル信号の直交成分の信号が復調され、ついでＦＦＴ２２によりフーリエ変換されて各周波数帯域の信号が取り出される。誤り訂正部２３は、ビタビデコーダなどにより誤り訂正等を行う。デコード部２４は、圧縮されたオーディオデータを伸長し、受信されたディジタルオーディオ信号から、図１に示すようなＦＩＣによって伝送される制御用データＣＤＡと、ＭＳＣによって伝送されるオーディオデータＤＡＤを抽出する。抽出された制御用データＣＤＡは、コントローラ４０へ供給され、オーディオデータＤＡＤは、出力制御部２５へ供給される。オーディオデータＤＡＤは、選択されたチャンネル（番組）のオーディオデータや、臨時に放送されるアナウンスメントデータを含む。一方、制御用データＣＤＡは、アナウンスメントデータの伝送期間を識別するためのＡＳフラッグデータ、アナウンスメントデータが新規なものであるか否かのニューフラッグデータ等を含む。
【００２１】
図２に、オーディオデータＤＡＤを構成するフレームのデータ構成を示す。ＤＡＢでは、オーディオ信号のデータ圧縮方式として、ＭＰＥＧ１／２オーディオレイヤ２を採用している。このため、図２に示すように、１つのフレームデータ（以下、音声フレームと称す）は、ヘッダ部、ボディ部、および付加データ部を含み、その伝送時間は、２４ｍｓである。ヘッダ部は、識別情報や各サブバンドにオーディオデータが存在するか否かの情報を含むアロケーション部、各サブバンドの振幅値のデータを格納するＳＣＦ部（Scale Factor：スケールファクタ）、ヘッダ部のエラー（誤り）の有無を検知するための符号であるＣＲＣ部を含む。ボディ部は、正規化された各サブバンドの波形（振幅）を示すデータを格納する。
【００２２】
出力制御部２５は、後述するように、コントローラ４０からの１つもしくは複数の指示を含む制御信号ＣＯＮＴにより制御され、アナウンスメント放送があったとき、当該アナウンスメントデータを録音し、任意の時点で録音されたアナウンスメントデータを再生出力したり、あるいは選択されたチャンネルのオーディオデータの再生出力を可能にする。出力制御部２５から出力されたディジタルオーディオデータは、Ｄ／Ａコンバータ３０によりアナログデータに変換され、アンプ３２、スピーカ３４を介して音声出力される。なお、信号処理部２０は、上記の処理に加えて、各部の同期制御なども行う。その他の詳細な構成は、公知技術を参照することにより理解され得る。また、信号処理部２０の動作は、予めメモリ内に格納されたプログラムを併用するものであってもよい。
【００２３】
コントローラ４０は、フロントエンド１４、信号処理部２０等の各部を制御する。コントローラ４０は、マイクロコントローラ、マイクロプロセッサなどから構成され、好ましい態様では、メモリに格納されたプログラムを実行することで各部を制御する。コントローラ４０は、入力部４４を介してユーザーからの指示に応答してフロントエンド１４や信号処理部２０に希望放送局や希望番組を選局させたり、録音されたアナウンスメントデータの再生を指示したり、あるいはデコード部２４からの制御データＣＤＡに基づき出力制御部２５におけるアナウンスメントデータの録音を制御する。また、コントローラ４０は、表示部４６に受信周波数や放送局名を表示したり、再生可能なアナウンスメントデータに関連するアイコンやその他の情報を表示する。メモリ４２は、プログラムやその他必要なデータを格納することができる。さらにコントローラ４０は、フロントエンド１４から電界強度信号Ｓ１、誤り訂正部２３からの誤り訂正に関する信号Ｓ２を受け取り、これらの信号Ｓ１、Ｓ２を利用して各部の制御を行うこともできる。
【００２４】
次に、出力制御部２５の詳細について図４を参照して説明する。出力制御部２５は、上記したように、デコード部２４から供給されたオーディオデータＤＡＤ、すなわち図２に示すような音声フレームの連続を受け取るように構成される。出力制御部２５は、図４（Ａ）に示すように、オーディオデータＤＡＤに含まれるアナウンスメントデータを記憶する録音部１００、コントローラ４０からの制御信号ＣＯＮＴに基づき録音部１００を制御する録音制御部１１０、デコード部２４からのオーディオデータＤＡＤおよび録音部１００から読み出されたアナウンスメントデータＡＤとを入力し、制御信号ＣＯＮＴに基づきいずれかのデータを選択的に出力する選択部１２０を含んで構成される。通常、アナウンスメントデータの１周期は、約３０秒程度であり、従って、録音部１００は、少なくとも１周期分のアナウンスメントデータを記憶することができる容量のメモリから構成される。
【００２５】
コントローラ４０は、制御データＣＤＡに含まれるＡＳフラッグデータおよびニュースフラッグデータに基づきアナウンスメント放送の開始を検出すると、録音制御部１１０に対して、アナウンスメントデータの録音を指示する制御信号ＣＯＮＴを出力する。すなわち、コントローラ４０は、後述するように、アナウンスメントが新規なものである場合には、アナウンスメントデータの１周期分のすべてが録音されるような指示を与え、アナウンスメントが繰り返されたもの（再放送）である場合には、前回の録音されたアナウンスメントデータのエラーを含む音声フレームがエラーのない音声フレームに置換されるような指示を与える。
【００２６】
また、コントローラ４０は、ユーザーからアナウンスメントの再生の指示を受け取ると、録音部１００からアナウンスメントデータＡＤが読み出されるような指示を含む制御信号ＣＯＮＴを録音制御部１１０に与え、かつ、アナウンスメントデータＡＤが出力されるような指示を含む制御信号ＣＯＮＴを選択部１２０に与える。
【００２７】
次に、録音制御部１１０の内部構成を図４（Ｂ）に示す。フレームカウント部２００は、アナウンスメント放送の開始に応答して、アナウンスメントデータを構成する連続した音声フレームを受け取り、その数をカウントする。１つの音声フレームは、２４ｍｓであり、アナウンスメント放送が約３０秒の期間とすれば、音声フレームの数は、おおよそ１２，５００である。エラー検出部２１０は、アナウンスメントデータを構成する音声フレームの各々のＣＲＣ値を計算し、音声フレームにエラーがあるか否かを検出する。フレーム情報保持部２２０は、フレームカウント部２００の結果および／またはエラー検出部２１０の結果を受け取り、アナウンスメントデータを構成する音声フレームの数、およびエラーが検出された音声フレームの識別情報などを保持する。この情報は、アナウンスメント放送が繰り返されたとき、書き換えるべき音声フレームを識別するために利用される。
【００２８】
読み書き部２４０は、録音部１００へアナウンスメントデータを書込んだり、録音部１００からアナウンスメントデータを読出す。ここで留意すべきは、読み書き部２４０は、アナウンスメントデータが新規なものであるとき、アナウンスメントデータの１周期分のすべての音声フレームを録音部１００に書込み、アナウンスメントデータが繰り返された再放送であるとき、エラーのない音声フレームを用いて、録音されているアナウンスメントデータの部分的な書き換え、すなわちエラーのある音声フレームの書き換えを行う。
【００２９】
比較部２３０は、アナウンスメント放送が繰り返されたものであるとき、フレーム情報保持部２２０に保持された情報に基づき、録音されているエラーを有する音声フレームと、受信されたエラーのない音声フレームとを比較する。比較部２３０は、エラーを有する音声フレームに対応する、エラーのない音声フレームがあることが判った場合には、その旨を読み書き部２４０へ提供する。読み書き部２４０は、その比較結果に基づき、既に録音されているエラーを含む音声フレームを、受信したエラーのない音声フレームによって書き換える。
【００３０】
エラー率算出部２５０は、アナウンスメントデータのエラー率を算出する。好ましい例では、フレームカウント部２００によってカウントされたアナウンスメントデータを構成する音声フレームの総数と、エラー検出部２１０によって検出された音声フレームとの比率を計算する。エラー比率は、新規なアナウンスメントデータを録音したとき、および最新規なアナウンスメントデータが次に受信されたアナウンスメントデータにより部分的に書き換えられたときに算出される。エラー率算出部２５０の算出結果は、エラー率信号ＥＲとしてコントローラ４０へ供給される。好ましい態様では、コントローラ４０は、エラー率が所定のしきい値以上であるとき、録音されたアナウンスメントデータが再生可能であると判定し、アナウンスメントデータが再生可能であることをアイコンやテキスト情報などによってユーザーに通知する。
【００３１】
次に、本実施例の受信装置におけるアナウンスメントの録音、再生動作について図５ないし図７のフローを参照して説明する。ＤＡＢ放送を受信している間に、臨時のアナウンスメントが放送されると、コントローラ４０は、制御用データＣＤＡに含まれるＡＳフラッグデータが「０」から「１」に遷移したことに応答して、アナウンスメント放送が開始されたことを検出する（Ｓ１０１）。さらにコントローラ４０は、制御用データＣＤＡに含まれるニューフラッグデータの状態が「０」または「１」であるかに基づきアナウンスメントが新規であるか否かを判定する（Ｓ１０２）。
【００３２】
コントローラ４０は、新規のアナウンスメント放送が受信されたと判定した場合には、出力制御部２５０に対し、アナウンスメントデータのすべての音声フレームを録音させるための制御信号ＣＯＮＴを出力する。録音制御部１１０は、この制御信号ＣＯＮＴに応答して、アナウンスメントデータを構成する音声フレームのすべてを録音部１００に録音させる（Ｓ１０３）。このとき、選択部１２０は、受信しているチャンネルのオーディオデータＤＡＤを選択するように制御信号ＣＯＮＴによって制御される。一方、アナウンスメント放送が新規ではなく繰り返されたもの（再放送）、すなわちニューフラッグデータが「０」であるとき、コントローラ４０は、出力制御部２５０に対し、録音されたアナウンスメントデータを再放送のアナウンスメントデータにより補間もしくは合成するための制御信号ＣＯＮＴを出力する（Ｓ２００）。新規なアナウンスメント放送、および繰り返されたアナウンスメント放送の録音の詳細は、後述する。
【００３３】
アナウンスメントデータの録音が完了すると、出力制御部２５０からコントローラ４０に対し、録音が完了した旨の信号ＥＮＤが通知される。また、エラー率算出部２５０は、録音部１００に録音されたアナウンスメントデータを構成する音声フレームの総数に対するエラーを含む音声フレームの数の比率を示すエラー率信号ＥＲをコントローラ４０へ提供する。コントローラ４０は、エラー率信号ＥＲを受け取り、エラー率が第１のしきい値以下であるか否かを判定し（Ｓ１０４）、エラー率が第１のしきい値以上である場合には、再生不可と判定し（Ｓ１０５）、コントローラ４０は、アナウンスメントに関するアイコンを非表示としてその旨をユーザーに知らせず（Ｓ１０６）、アナウンスメント放送の再放送を待つ（Ｓ１０７）。ここでは、表示部４６に表示されたアイコンをユーザーが選択することでアナウンスメントデータの再生を行う例を示しているが、もし、アナウンスメント放送を受信したときに、任意のタイミングで自動的にアナウンスメントデータを再生する設定の場合には、アナウンスメントの自動再生を停止する。
【００３４】
他方、エラー率が第１のしきい値未満である場合には、コントローラ４０は、再生可と判定し（Ｓ１０８）、アナウンスメントに関するアイコンを表示部４６に表示させ（Ｓ１０９）、アナウンスメントデータを再生可能な状態に置く（Ｓ１１０）。コントローラ４０は、ユーザーによりアイコンが選択されたとき、あるいは任意のタイミングでアナウンスメントデータを再生させることができる。アナウンスメントデータを再生させるとき、コントローラ４０は、制御信号ＣＯＮＴを介して録音制御部１１０に対し、録音部１００からアナウンスメントデータＡＤを読み出させ、かつ、制御信号ＣＯＮＴを介して選択部１２０にアナウンスメントデータＡＤを出力させる指示を与える。
【００３５】
次に、ステップＳ１０３のアナウンスメントデータの録音動作について説明する。図４（Ｂ）に示すように、アナウンスメントデータを構成する音声フレームの各々は、フレームカウント部２００、エラー検出部２１０および読み書き部２４０に順次受け取られる（Ｓ１２０）。録音制御部１１０におけるこれらの各部の音声フレームの受け取りは、ＡＳフラッグデータによるアナウンスメントの開始に同期して行われる。
【００３６】
フレームカウント部２００は、受け取った音声フレームの数をカウントし（Ｓ１２１）、そのカウント結果をエラー率算出部２５０へ提供する。エラー検出部２１０は、音声フレームのヘッダ部に含まれるＣＲＣ部の値を計算し（Ｓ１２１）、計算されたＣＲＣ値に基づき音声フレームのエラーを検出する。読み書き部２４０は、録音部１００への音声フレームの書き込みを行う（Ｓ１２１）。
【００３７】
エラー検出部２１０は、エラーが検出された場合には、当該音声フレームの識別情報にエラーフラッグを付けて、これらの情報をフレーム情報保持部２２０およびエラー率算出部２５０へ提供する。フレーム情報保持部２２０は、エラー検出部２１０により提供された情報に基づき、エラーが識別される音声フレームの識別情報を逐次保持する（Ｓ１２３）。これらの作業は、ＡＳフラッグデータによるアナウンスメントの終了が検出されるまで行われる（Ｓ１２４）。
【００３８】
読み書き部２４０は、新規なアナウンスメントデータのすべての音声フレームの録音が完了すると、録音完了通知信号ＥＮＤをコントローラ４０へ提供する（Ｓ１２５）。また、エラー率算出部２５０は、録音された新規なアナウンスメントデータのすべての音声フレームについてのエラー率を算出し、エラー率信号ＥＲをコントローラ４０へ提供する（Ｓ１２５）。フレーム情報保持部２２０は、録音された新規なアナウンスメントデータにおいてエラーを含む音声フレームの識別情報を保持する。
【００３９】
次に、アナウンスメント放送が繰り返されたときの録音動作について図７を参照して説明する。ＡＳフラッグデータに基づきアナウンスメント放送の開始がコントローラ４０によって検出され、ニューフラッグデータが再放送（例えば、フラッグが「０」）であるとき、制御信号ＣＯＮＴを介して録音制御部１１０にエラーの音声フレームの修復をさせる。ステップＳ２０１〜Ｓ２０３までの動作は、図６に示したステップＳ１２１〜１２３までの動作と同じである。但し、読み書き部２４０は、繰り返されたアナウンスメントデータを構成する音声フレームのすべてをバッファリングし、すなわち、録音部１００への書き込みを行わず、比較部２３０からの指示をまって音声フレームの書き込みを可能にする。また、ここでは、ニューフラッグデータが新規なアナウンスメント放送を示さないとき、前回と同一内容のアナウンスメントが再放送されたものとして説明するが、前回のアナウンスメント放送と同一か否かをより高精度に判定する場合には、例えば、前回のアナウンスメントデータを構成する音声フレームの数と、今回のアナウンスメントデータを構成する音声フレームの数とを比較し、両者が一致した場合に、同一内容のアナウンスメントと判定するようにしてもよい。音声フレームの総数は、フレームカウント部２００により算出することができる。さらに、ＡＳフラッグデータが「１」の期間、つまりアナウンスメント放送時間が一致するか否かを判定に加えるようにしてもよい。
【００４０】
フレーム情報保持部２２０は、エラー検出部２１０から提供されるエラーフラッグが付けられた音声フレームの識別情報の中から、エラーのない音声フレームの識別情報を保持する（Ｓ２０４）。ＡＳフラッグデータに基づきアナウンスメント放送の終了がコントローラ４０によって検出されると（Ｓ２０５）、比較部２３０は、新規なアナウンスメント放送を録音したときのエラーを有する音声フレームの識別情報と、今回受信された再放送のアナウンスメント放送のエラーのない音声フレームの識別情報とを比較し（Ｓ２０６）、エラーを有する音声フレームの識別情報に一致する音声フレームの識別情報が存在するか否かを確認する（Ｓ２０７）。音声フレームの識別情報が一致した場合には、比較部２３０は、読み書き部２４０に対して、一致した音声フレーム識別情報に対応する音声フレームの書き込みを指示し（Ｓ２０８）、これにより、録音されているエラーのある音声フレームを、エラーのない音声フレームによって書き換える（Ｓ２０９）。すべての音声フレームの上書き処理が完了した後、図５のステップＳ１０４〜Ｓ１０６に示すように、再生可否の判定を実施して、再生可能であれば、録音されたアナウンスメント放送の再生処理を実施する。
【００４１】
他方、書き換えるべき一致する音声フレームがない場合、別のアナウンスメント放送の内容に切り替わった可能性があり、録音したアナウンスメントデータが再送される可能性がないとみなす（Ｓ２１０）。そして、録音されたアナウンスメントデータのエラー率に基づく再生可否の再判定が行われる。この場合、エラー率と第２のしきい値とを比較し、第２のしきい値以上であれば、再生不可と判定し、録音されているアナウンスメントデータを破棄する。エラー率が第２のしきい値未満であれば、再生可と判定し、アナウンスメントデータを再生可能な状態（例えば、ユーザーにより指示可能なアイコン表示や、任意のタイミングで自動再生）におく。この場合、第２のしきい値は、図５に示した新規なアナウンスメントデータの再生可否のしきい値（Ｓ１０４）よりも小さい。
【００４２】
図８に、本実施例によるアナウンスメントデータの録音例を示す。同図（Ａ）は、新規なアナウンスメントであって、ｎ個の音声フレームから構成され、音声フレーム＃３および音声フレーム＃ｎ−１はエラーが含まれているものとする。録音制御部１１０は、アナウンスメントの１周期に該当するｎ個の音声フレームをすべて録音部１００に格納する。また、フレーム情報保持部２２０は、エラーを有する音声フレーム＃３、＃ｎ−１の識別情報を保持する。
【００４３】
次に、（Ｂ）に示すような再放送のアナウンスメントであって、音声フレーム＃２、＃ｎ−２にエラーが含まれているものとする。この場合、フレーム情報保持部２２０は、エラーのない音声フレーム＃１、＃３、＃ｎー１、＃ｎの識別情報を保持し、比較部２３０は、エラーを有する音声フレーム＃３、＃ｎ−１に一致する音声フレームが存在するか否かを判別する。この例では、音声フレーム＃３、＃ｎ−１が一致するため、録音されている音声フレーム＃３、＃ｎ−１は、エラーのない音声フレームによって上書きされる。
【００４４】
このように本実施例によれば、繰り返し放送される可能性の高いアナウンスメントデータを録音して再生する場合に、録音されたアナウンスメントデータのうちエラーのあるデータを、次に受信したアナウンスメントデータの正常なデータによって上書きするようにしたので、従来よりも、見かけ上、アナウンスメント放送に対する受信感度を(約３ｄＢ)向上させ、その結果、視聴可能エリアすなわち録音可能エリアを広げることができる。また、従来よりも、再生されるアナウンスメントの音声品質を改善することができる。
【００４５】
ＭＰＥＧ１／２オーディオレイヤ２において、ＣＲＣ値は、ヘッダ部に付加された誤り検知符号であり、ヘッダ部にエラーがあるか否かを明確に示す。ボディ部には、誤り検知符号はないため、ＣＲＣ値を使った誤り検知処理では、データ全体のエラーの有無は判明しない。しかし、ヘッダ部にエラーが無ければ、ボディ部を再生してもクリティカルな問題は発生しない。
【００４６】
また、ＤＡＢと同じ流れをくむ放送規格にＤＡＢ＋／Ｔ−ＤＭＢ等があり、ＤＡＢ＋／Ｔ−ＤＭＢの音声圧縮符号化方式は、ＨＥ−ＡＡＣ−Ｖ２(ＡＡＣ＋)である。ＤＡＢがＦＥＣにビタビデコーダのみ搭載しているのに対し、ビタビデコーダの他に、ＲＳ(リードソロモン)も搭載している。ビタビデコーダとリードソロモンの特徴で大きく異なるのは、ビタビデコーダは、誤り訂正を実施した結果のデータについて、エラーが残っているか否か(Error Freeか否か)を検出することできないが、リードソロモンは、エラーが残っているか否か（Error Freeか否か）を検出することができる。上記実施例では、ＣＲＣ値により音声フレームのエラーの有無を判別したが、ビタビデコーダやＲＳによる誤り訂正の結果を利用して、音声フレームのエラーの有無を判別するようにしてもよい。例えば、コントローラ４０は、誤り訂正部２３に含まれるビタビデコーダ等から誤り訂正の数を示す信号Ｓ２を受け取り、音声フレームの有無を判定し、その判定結果を出力制御部２５に提供するようにしてもよい。
【００４７】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００４８】
１０：ＤＡＢ受信装置                      １２：アンテナ
１４：フロントエンド                      １６：Ａ／Ｄコンバータ
２０：信号処理部                          ２１：直交復調部
２２：ＦＦＴ                              ２３：誤り訂正部
２４：デコーダ                            ２５：出力制御部
３０：Ｄ／Ａコンバータ                    ３２：アンプ
３４：スピーカ                            ４０：コントローラ
４２：メモリ                              ４４：入力部
４６：表示部                              １００：録音部
１１０：録音制御部                        １２０：選択部
２００：フレームカウント部                ２１０：エラー検出部
２２０：フレーム情報保持部                ２３０：比較部
２４０：読み書き部                        ２５０：エラー率算出部
【図１】
2013258565.tif 000003
【図２】
2013258565.tif 000004
【図３】
2013258565.tif 000005
【図４】
2013258565.tif 000006
【図５】
2013258565.tif 000007
【図６】
2013258565.tif 000008
【図７】
2013258565.tif 000009
【図８】
2013258565.tif 000010